(57)【要約】【課題】使用者の湿気や汗を吸収するとともに使用者の臭気を吸収することができ、湿りやそれら臭気の染み付きを防ぐことができる枕を提供する。【解決手段】枕１０Ａは、第１〜第４クッションエリア１１〜１４を有する。第１及び第２クッションエリア１１，１２は、珪藻土を粉状に粉砕した吸湿性及び脱臭性を有する珪藻土粉末からなる第１成分と、脱臭性及び殺菌性を有するミョウバン粉末と殺菌性を有する酸化亜鉛粉末とからなる第２成分と、低反発弾性ウレタンフォームからなる第３成分と、通気性、透湿性、透水性、柔軟性を有して第１〜第３成分を収納した収納袋２０とから形成されている。第３及び第４クッションエリア１３，１４は、第１成分及び第３成分と、脱臭性を有する炭酸水素ナトリウム粉末（重曹粉末）と殺菌性を有する酸化亜鉛粉末とからなる第４成分と、通気性、透湿性、透水性、柔軟性を有して第１成分と第３及び第４成分とを収納した収納袋２０とから形成されている。【選択図】図１
2020028323.tif 000002
【特許請求の範囲】
【請求項１】
寝臥時に使用する枕において、
前記枕が、使用者の頸部及び頭部の略下半分を支持する第１クッションエリアと、前記第１クッションエリアに繋がって該第１クッションエリアの前方に位置し、前記使用者の頭部の略上半分を支持する第２クッションエリアと、前記第１及び第２クッションエリアに繋がって該第２クッションエリアの幅方向の一方に位置する第３クッションエリアと、前記第１及び第２クッションエリアに繋がって該第２クッションエリアの幅方向の他方に位置する第４クッションエリアとを有し、
前記第１及び第２クッションエリアが、珪藻土を粒状に粉砕した吸湿性及び脱臭性を有する珪藻土顆粒と前記珪藻土を粉状に粉砕した吸湿性及び脱臭性を有する珪藻土粉末とのうちの少なくとも一方からなる第１成分と、脱臭性及び殺菌性を有するミョウバン粉末と殺菌性を有する酸化亜鉛粉末と殺菌性を有する酸化銀粉末と殺菌性を有する酸化チタン粉末とのうちの少なくとも前記ミョウバン粉末からなる第２成分と、低反発弾性ウレタンフォームとそば殻とスチロールビーズとポリエチレンチューブと綿と羽毛とのうちの少なくとも１種類からなる第３成分と、通気性、透湿性、透水性、柔軟性を有して所定量の前記第１成分と所定量の前記第２成分と所定量の前記第３成分とを収納した収納袋とから形成され、
前記第３及び第４クッションエリアが、前記第１成分及び前記第３成分と、脱臭性を有する炭酸水素ナトリウム粉末（重曹粉末）と殺菌性を有する酸化亜鉛粉末と殺菌性を有する酸化銀粉末と殺菌性を有する酸化チタン粉末とのうちの少なくとも前記炭酸水素ナトリウム粉末からなる第４成分と、通気性、透湿性、透水性、柔軟性を有して所定量の前記第１成分と所定量の前記第３成分と所定量の前記第４成分とを収納した収納袋とから形成されていることを特徴とする枕。
【請求項２】
前記第１及び第２クッションエリアでは、前記第１成分と前記第２成分とが通気性、透湿性、透水性、柔軟性を有する複数の小袋に収納された状態で前記収納袋に収納され、前記第３及び第４クッションエリアでは、前記第１成分と前記第４成分とが通気性、透湿性、透水性、柔軟性を有する複数の小袋に収納された状態で前記収納袋に収納されている請求項１に記載の枕。
【請求項３】
前記第１及び第２クッションエリアの収納袋に収納された前記第１成分と前記第２成分と前記第３成分との全収納量に対する該第１成分の収納割合が、５０％〜６５％の範囲にあり、前記収納袋に収納された前記第１成分と前記第２成分と前記第３成分との全収納量に対する該第２成分の収納割合が、１０％〜２０％の範囲にあり、前記収納袋に収納された前記第１成分と前記第２成分と前記第３成分との全収納量に対する該第３成分の収納割合が、１５％〜３０％の範囲にある請求項１又は請求項２に記載の枕。
【請求項４】
前記第３及び第４クッションエリアの収納袋に収納された前記第１成分と前記第３成分と前記第４成分との全収納量に対する該第１成分の収納割合が、５０％〜６５％の範囲にあり、前記収納袋に収納された前記第１成分と前記第３成分と前記第４成分との全収納量に対する該第３成分の収納割合が、１５％〜３０％の範囲にあり、前記収納袋に収納された前記第１成分と前記第３成分と前記第４成分との全収納量に対する該第４成分の収納割合が、１０％〜２０％の範囲にある請求項１ないし請求項３いずれかに記載の枕。
【請求項５】
寝臥時に使用する枕において、
前記枕が、使用者の頸部及び頭部の略下半分を支持する第１クッションエリアと、前記第１クッションエリアに繋がって該第１クッションエリアの前方に位置し、前記使用者の頭部の略上半分を支持する第２クッションエリアと、前記第１及び第２クッションエリアに繋がって該第２クッションエリアの幅方向の一方に位置する第３クッションエリアと、前記第１及び第２クッションエリアに繋がって該第２クッションエリアの幅方向の他方に位置する第４クッションエリアとを有し、
前記第１及び第２クッションエリアが、ポリオール成分およびポリイソシアネート成分を混合したポリウレタンに吸湿性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状第１クッション小片と、合成樹脂に前記珪藻土粉末と前記ミョウバン粉末と前記酸化亜鉛粉末とを混練した合成樹脂混合物をチューブ状に成形した複数の合成樹脂第１チューブ小片と、前記合成樹脂に前記珪藻土粉末と前記ミョウバン粉末と前記酸化亜鉛粉末とを混練した合成樹脂混合物をビーズ状に成形した複数の合成樹脂第１ビーズ小片と、通気性、透湿性、透水性、柔軟性を有して前記塊状第１クッション小片と前記合成樹脂第１チューブ小片と前記合成樹脂第１ビーズ小片とのうちの少なくとも１種類を収納した収納袋とから形成され、
前記第３及び第４クッションエリアが、ポリオール成分およびポリイソシアネート成分を混合したポリウレタンに吸湿性及び脱臭性を有する珪藻土を粉状に粉砕した珪藻土粉末と脱臭性を有する炭酸水素ナトリウム粉末（重曹粉末）と殺菌性を有する酸化亜鉛粉末とを混練して発泡させた低反発弾性ウレタンフォームからなる複数の塊状第２クッション小片と、合成樹脂に前記珪藻土粉末と前記炭酸水素ナトリウム粉末と前記酸化亜鉛粉末とを混練した合成樹脂混合物をチューブ状に成形した複数の合成樹脂第２チューブ小片と、前記合成樹脂に前記珪藻土粉末と前記炭酸水素ナトリウム粉末と前記酸化亜鉛粉末とを混練した合成樹脂混合物をビーズ状に成形した複数の合成樹脂第２ビーズ小片と、通気性、透湿性、透水性、柔軟性を有して前記塊状第２クッション小片と前記合成樹脂第２チューブ小片と前記合成樹脂第２ビーズ小片とのうちの少なくとも１種類を収納した収納袋とから形成されていることを特徴とする枕。
【請求項６】
前記塊状第１クッション小片が、前記ポリウレタンに前記珪藻土粉末を混練して発泡させた低反発弾性第１ウレタンフォームと、前記ポリウレタンに前記ミョウバン粉末を混練して発泡させた低反発弾性第１ウレタンフォームと、前記ポリウレタンに前記酸化亜鉛粉末を混練して発泡させた低反発弾性第１ウレタンフォームとから形成され、前記合成樹脂第１チューブ小片が、前記合成樹脂に前記珪藻土粉末を混練した合成樹脂第１混合物と、前記合成樹脂に前記ミョウバン粉末を混練した合成樹脂第１混合物と、前記合成樹脂に前記酸化亜鉛粉末を混練した合成樹脂第１混合物とから形成され、前記合成樹脂第１ビーズ小片が、前記合成樹脂に前記珪藻土粉末を混練した合成樹脂第１混合物と、前記合成樹脂に前記ミョウバン粉末を混練した合成樹脂第１混合物と、前記合成樹脂に前記酸化亜鉛粉末を混練した合成樹脂第１混合物とから形成され、前記塊状第２クッション小片が、前記ポリウレタンに前記珪藻土粉末を混練して発泡させた低反発弾性第２ウレタンフォームと、前記ポリウレタンに前記炭酸水素ナトリウム粉末（重曹粉末）を混練して発泡させた低反発弾性第２ウレタンフォームと、前記ポリウレタンに前記酸化亜鉛粉末を混練して発泡させた低反発弾性第２ウレタンフォームとから形成され、前記合成樹脂第２チューブ小片が、前記合成樹脂に前記珪藻土粉末を混練した合成樹脂第２混合物と、前記合成樹脂に前記ミョウバン粉末を混練した合成樹脂第２混合物と、前記合成樹脂に前記酸化亜鉛粉末を混練した合成樹脂第２混合物とから形成され、前記合成樹脂第２ビーズ小片が、前記合成樹脂に前記珪藻土粉末を混練した合成樹脂第２混合物と、前記合成樹脂に前記ミョウバン粉末を混練した合成樹脂第２混合物と、前記合成樹脂に前記酸化亜鉛粉末を混練した合成樹脂第２混合物とから形成されている請求項５に記載の枕。
【請求項７】
前記枕では、そば殻と綿と羽毛とのうちの少なくとも１種類が前記収納袋に収納されている請求項５又は請求項６に記載の枕。
【請求項８】
前記収容袋が、通気性、透湿性、透水性、柔軟性を有する繊維不織布から作られた不織布袋と、通気性、透湿性、透水性、柔軟性を有する和紙から作られた和紙袋とのうちの少なくとも一方である請求項１ないし請求項７いずれかに記載の枕。
【発明の詳細な説明】
【技術分野】
【０００１】
本発明は、寝臥時に使用する枕に関する。
【背景技術】
【０００２】
通気性を有する布地によって袋状に形成された外装体及びこの外装体内に収容されたクッション体を有し、クッション体が弾性材によって上下方向に貫通する通気孔を有する筒状に形成され、補強凸部を周方向全長にわたって設けた複数の中間支持部材が外周面において行列状に配置された枕が開示されている。この枕は、クッション体を構成する中間支持部材が上下方向に貫通する通気孔を有するから、枕全体の通気性を向上させることができる。
【先行技術文献】
【特許文献】
【０００３】
【特許文献１】特開２０１６−８７３４０号公報
【発明の概要】
【発明が解決しようとする課題】
【０００４】
前記特許文献１に開示の枕は、付着した雑菌を殺菌する殺菌性はなく、付着した雑菌の繁殖を防止することができず、使用によって不要な雑菌が繁殖する場合がある。また、使用者の湿気や汗を吸収する湿気性はなく、使用者の湿気や汗が染み込み、湿気や汗によって枕が湿ってしまう場合があるとともに、使用者の臭気（体臭や頭髪臭、たばこ臭、ノネナール臭等）を脱臭する脱臭性はなく、使用者のそれら臭気が枕に染み付いてしまう場合がある。
【０００５】
本発明の目的は、付着した雑菌を殺菌することができ、雑菌の繁殖を防ぐことができる枕を提供することにある。本発明の他の目的は、使用者の湿気や汗を吸収するとともに使用者の臭気（体臭や頭髪臭、たばこ臭、ノネナール臭等）を吸収することができ、湿りやそれら臭気の染み付きを防ぐことができる枕を提供することにある。
【課題を解決するための手段】
【０００６】
前記課題を解決するための本発明の前提は、寝臥時に使用する枕である。
【０００７】
前記前提における本発明の第１の特徴は、枕が、使用者の頸部及び頭部の略下半分を支持する第１クッションエリアと、第１クッションエリアに繋がって第１クッションエリアの前方に位置し、使用者の頭部の略上半分を支持する第２クッションエリアと、第１及び第２クッションエリアに繋がって第２クッションエリアの幅方向の一方に位置する第３クッションエリアと、第１及び第２クッションエリアに繋がって第２クッションエリアの幅方向の他方に位置する第４クッションエリアとを有し、第１及び第２クッションエリアが、珪藻土を粒状に粉砕した吸湿性及び脱臭性を有する珪藻土顆粒と珪藻土を粉状に粉砕した吸湿性及び脱臭性を有する珪藻土粉末とのうちの少なくとも一方からなる第１成分と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分と、低反発弾性ウレタンフォームとそば殻とスチロールビーズとポリエチレンチューブと綿と羽毛とのうちの少なくとも１種類からなる第３成分と、通気性、透湿性、透水性、柔軟性を有して所定量の第１成分と所定量の第２成分と所定量の第３成分とを収納した収納袋とから形成され、第３及び第４クッションエリアが、第１成分及び前記第３成分と、脱臭性を有する炭酸水素ナトリウム粉末（重曹粉末）と殺菌性を有する酸化亜鉛粉末と殺菌性を有する酸化銀粉末と殺菌性を有する酸化チタン粉末とのうちの少なくとも炭酸水素ナトリウム粉末からなる第４成分と、通気性、透湿性、透水性、柔軟性を有して所定量の第１成分と所定量の第３成分と所定量の第４成分とを収納した収納袋とから形成されていることにある。
【０００８】
前記第１の特徴を有する本発明の一例として、第１及び第２クッションエリアでは、第１成分と第２成分とが通気性、透湿性、透水性、柔軟性を有する複数の小袋に収納された状態で収納袋に収納され、第３及び第４クッションエリアでは、第１成分と第４成分とが通気性、透湿性、透水性、柔軟性を有する複数の小袋に収納された状態で収納袋に収納されている。
【０００９】
前記第１の特徴を有する本発明の他の一例は、第１及び第２クッションエリアの収納袋に収納された第１成分と第２成分と第３成分との全収納量に対する第１成分の収納割合が５０％〜６５％の範囲にあり、収納袋に収納された第１成分と第２成分と第３成分との全収納量に対する第２成分の収納割合が１０％〜２０％の範囲にあり、収納袋に収納された第１成分と第２成分と第３成分との全収納量に対する第３成分の収納割合が１５％〜３０％の範囲にある。
【００１０】
前記第１の特徴を有する本発明の他の一例は、第３及び第４クッションエリアの収納袋に収納された第１成分と第３成分と第４成分との全収納量に対する第１成分の収納割合が５０％〜６５％の範囲にあり、収納袋に収納された第１成分と第３成分と第４成分との全収納量に対する第３成分の収納割合が１５％〜３０％の範囲にあり、収納袋に収納された第１成分と第３成分と第４成分との全収納量に対する第４成分の収納割合が１０％〜２０％の範囲にある。
【００１１】
前記前提における本発明の第２の特徴は、枕が、使用者の頸部及び頭部の略下半分を支持する第１クッションエリアと、第１クッションエリアに繋がって第１クッションエリアの前方に位置し、使用者の頭部の略上半分を支持する第２クッションエリアと、第１及び第２クッションエリアに繋がって第２クッションエリアの幅方向の一方に位置する第３クッションエリアと、第１及び第２クッションエリアに繋がって第２クッションエリアの幅方向の他方に位置する第４クッションエリアとを有し、第１及び第２クッションエリアが、ポリオール成分およびポリイソシアネート成分を混合したポリウレタンに吸湿性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状第１クッション小片と、合成樹脂に珪藻土粉末とミョウバン粉末と酸化亜鉛粉末とを混練した合成樹脂混合物をチューブ状に成形した複数の合成樹脂第１チューブ小片と、合成樹脂に珪藻土粉末とミョウバン粉末と酸化亜鉛粉末とを混練した合成樹脂混合物をビーズ状に成形した複数の合成樹脂第１ビーズ小片と、通気性、透湿性、透水性、柔軟性を有して塊状第１クッション小片と合成樹脂第１チューブ小片と合成樹脂第１ビーズ小片とのうちの少なくとも１種類を収納した収納袋とから形成され、第３及び第４クッションエリアが、ポリオール成分およびポリイソシアネート成分を混合したポリウレタンに吸湿性及び脱臭性を有する珪藻土を粉状に粉砕した珪藻土粉末と脱臭性を有する炭酸水素ナトリウム粉末（重曹粉末）と殺菌性を有する酸化亜鉛粉末とを混練して発泡させた低反発弾性ウレタンフォームからなる複数の塊状第２クッション小片と、合成樹脂に珪藻土粉末と炭酸水素ナトリウム粉末と酸化亜鉛粉末とを混練した合成樹脂混合物をチューブ状に成形した複数の合成樹脂第２チューブ小片と、合成樹脂に珪藻土粉末と炭酸水素ナトリウム粉末と酸化亜鉛粉末とを混練した合成樹脂混合物をビーズ状に成形した複数の合成樹脂第２ビーズ小片と、通気性、透湿性、透水性、柔軟性を有して塊状第２クッション小片と合成樹脂第２チューブ小片と合成樹脂第２ビーズ小片とのうちの少なくとも１種類を収納した収納袋とから形成されていることにある。
【００１２】
前記第２の特徴を有する本発明の一例は、塊状第１クッション小片が、ポリウレタンに珪藻土粉末を混練して発泡させた低反発弾性第１ウレタンフォームと、ポリウレタンにミョウバン粉末を混練して発泡させた低反発弾性第１ウレタンフォームと、ポリウレタンに酸化亜鉛粉末を混練して発泡させた低反発弾性第１ウレタンフォームとから形成され、合成樹脂第１チューブ小片が、合成樹脂に珪藻土粉末を混練した合成樹脂第１混合物と、合成樹脂にミョウバン粉末を混練した合成樹脂第１混合物と、合成樹脂に酸化亜鉛粉末を混練した合成樹脂第１混合物とから形成され、合成樹脂第１ビーズ小片が、合成樹脂に珪藻土粉末を混練した合成樹脂第１混合物と、合成樹脂にミョウバン粉末を混練した合成樹脂第１混合物と、合成樹脂に酸化亜鉛粉末を混練した合成樹脂第１混合物とから形成され、塊状第２クッション小片が、ポリウレタンに珪藻土粉末を混練して発泡させた低反発弾性第２ウレタンフォームと、ポリウレタンに炭酸水素ナトリウム粉末（重曹粉末）を混練して発泡させた低反発弾性第２ウレタンフォームと、ポリウレタンに酸化亜鉛粉末を混練して発泡させた低反発弾性第２ウレタンフォームとから形成され、合成樹脂第２チューブ小片が、合成樹脂に珪藻土粉末を混練した合成樹脂第２混合物と、合成樹脂にミョウバン粉末を混練した合成樹脂第２混合物と、合成樹脂に酸化亜鉛粉末を混練した合成樹脂第２混合物とから形成され、合成樹脂第２ビーズ小片が、合成樹脂に珪藻土粉末を混練した合成樹脂第２混合物と、合成樹脂にミョウバン粉末を混練した合成樹脂第２混合物と、合成樹脂に酸化亜鉛粉末を混練した合成樹脂第２混合物とから形成されている。
【００１３】
前記第２の特徴を有する本発明の他の一例として、枕では、そば殻と綿と羽毛とのうちの少なくとも１種類が収納袋に収納されている。
【００１４】
前記第１及び第２の特徴を有する本発明の一例は、収容袋が、通気性、透湿性、透水性、柔軟性を有する繊維不織布から作られた不織布袋と、通気性、透湿性、透水性、柔軟性を有する和紙から作られた和紙袋とのうちの少なくとも一方である。
【発明の効果】
【００１５】
第１の特徴を有する本発明の枕によれば、第１及び第２クッションエリアが、珪藻土を粒状に粉砕した吸湿性及び脱臭性を有する珪藻土顆粒と珪藻土を粉状に粉砕した吸湿性及び脱臭性を有する珪藻土粉末とのうちの少なくとも一方からなる第１成分と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分と、低反発弾性ウレタンフォームとそば殻とスチロールビーズとポリエチレンチューブと綿と羽毛とのうちの少なくとも１種類からなる第３成分と、通気性、透湿性、透水性、柔軟性を有して所定量の第１成分と所定量の第２成分と所定量の第３成分と収納した収納袋とから形成され、第３及び第４クッションエリアが、第１成分及び第３成分と、脱臭性を有する炭酸水素ナトリウム粉末と殺菌性を有する酸化亜鉛粉末と殺菌性を有する酸化銀粉末と殺菌性を有する酸化チタン粉末とのうちの少なくとも炭酸水素ナトリウム粉末からなる第４成分と、通気性、透湿性、透水性、柔軟性を有して所定量の第１成分と所定量の第３成分と所定量の第４成分とを収納した収納袋とから形成されているから、第１及び第２クッションエリアが優れた吸湿性（吸湿作用）と優れた脱臭性（脱臭作用）と優れた殺菌性（殺菌作用）とを有し、第３及び第４クッションエリアが優れた吸湿性（吸湿作用）と優れた脱臭性（脱臭作用）とを有し、水分や湿気を吸収しつつ臭気を吸収することができるとともに、雑菌を死滅させることができ、雑菌が繁殖することはなく、長期間衛生的に使用することができる。枕は、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕を乾燥、無臭、無菌の状態で使用することができる。枕は、所定量の第３成分を含むことで、優れたクッション性を有し、寝臥時における使用において使用者に良好な感触を与えることができる。
【００１６】
第１及び第２クッションエリアにおいて、第１成分と第２成分とが通気性、透湿性、透水性、柔軟性を有する複数の小袋に収納された状態で収納袋に収納され、第３及び第４クッションエリアにおいて、第１成分と第４成分とが通気性、透湿性、透水性、柔軟性を有する複数の小袋に収納された状態で収納袋に収納されている枕は、収容袋が何らかの原因で破損したとして、第１及び第２成分や第３及び第４成分が小袋に収納されているから、第１及び第２成分や第３及び第４成分が散乱することはなく、第１及び第２成分や第３及び第４成分の不用意な漏出を防ぐことができる。枕は、通気性、透湿性、透水性、柔軟性を有する小袋に収納された第１及び第２成分が優れた吸湿性（吸湿作用）と優れた脱臭性（脱臭作用）と優れた殺菌性（殺菌作用）とを有し、透湿性、透水性、柔軟性を有する小袋に収納された第１及び第４成分が優れた吸湿性（吸湿作用）と優れた脱臭性（脱臭作用）とを有するから、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕を乾燥、無臭、無菌の状態で長期間衛生的に使用することができる。
【００１７】
第１及び第２クッションエリアの収納袋に収納された第１成分と第２成分と第３成分との全収納量に対する第１成分の収納割合が５０％〜６５％の範囲にあり、収納袋に収納された第１成分と第２成分と第３成分との全収納量に対する第２成分の収納割合が１０％〜２０％の範囲にあり、収納袋に収納された第１成分と第２成分と第３成分との全収納量に対する第３成分の収納割合が１５％〜３０％の範囲にある枕は、前記収納割合の第１成分および第２成分が含まれることで、第１及び第２クッションエリアが優れた吸湿性（吸湿作用）と優れた脱臭性（脱臭作用）と優れた殺菌性（殺菌作用）とを有し、第１及び第２クッションエリアにおいて使用者の湿気や汗を確実に吸収することができるとともに使用者の臭気（体臭や頭髪臭、たばこ臭、ノネナール臭等）を確実に吸収することができ、湿りやそれら臭気の染み付きを防ぐことができるとともに、枕を乾燥、無臭、無菌の状態で長期間衛生的に使用することができる。枕は、前記収納割合の第３成分が含まれるから、第１及び第２クッションエリアにおいて優れたクッション性を有し、寝臥時における使用において使用者に良好な感触を与えることができる。
【００１８】
第３及び第４クッションエリアの収納袋に収納された第１成分と第３成分と第４成分との全収納量に対する第１成分の収納割合が５０％〜６５％の範囲にあり、収納袋に収納された第１成分と第３成分と第４成分との全収納量に対する第３成分の収納割合が１５％〜３０％の範囲にあり、収納袋に収納された第１成分と第３成分と第４成分との全収納量に対する第４成分の収納割合が１０％〜２０％の範囲にある枕は、前記収納割合の第１成分および第4成分が含まれることで、第３及び第４クッションエリアが優れた吸湿性（吸湿作用）と優れた脱臭性（脱臭作用）とを有し、第３及び第４クッションエリアにおいて使用者の湿気や汗を確実に吸収することができるとともに使用者の臭気（体臭や頭髪臭、たばこ臭、ノネナール臭等）を確実に吸収することができ、湿りやそれら臭気の染み付きを防ぐことができるとともに、枕を乾燥、無臭、無菌の状態で長期間衛生的に使用することができる。枕は、前記収納割合の第３成分が含まれるから、第３及び第４クッションエリアにおいて優れたクッション性を有し、寝臥時における使用において使用者に良好な感触を与えることができる。
【００１９】
第２の特徴を有する本発明の枕によれば、第１及び第２クッションエリアが、ポリオール成分およびポリイソシアネート成分を混合したポリウレタンに吸湿性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状第１クッション小片と、合成樹脂に珪藻土粉末とミョウバン粉末と酸化亜鉛粉末とを混練した合成樹脂混合物をチューブ状に成形した複数の合成樹脂第１チューブ小片と、合成樹脂に珪藻土粉末とミョウバン粉末と酸化亜鉛粉末とを混練した合成樹脂混合物をビーズ状に成形した複数の合成樹脂第１ビーズ小片と、通気性、透湿性、透水性、柔軟性を有して塊状第１クッション小片と合成樹脂第１チューブ小片と合成樹脂第１ビーズ小片とのうちの少なくとも１種類を収納した収納袋とから形成され、第３及び第４クッションエリアが、ポリオール成分およびポリイソシアネート成分を混合したポリウレタンに吸湿性及び脱臭性を有する珪藻土を粉状に粉砕した珪藻土粉末と脱臭性を有する炭酸水素ナトリウム粉末（重曹粉末）と殺菌性を有する酸化亜鉛粉末とを混練して発泡させた低反発弾性ウレタンフォームからなる複数の塊状第２クッション小片と、合成樹脂に珪藻土粉末と炭酸水素ナトリウム粉末と酸化亜鉛粉末とを混練した合成樹脂混合物をチューブ状に成形した複数の合成樹脂第２チューブ小片と、合成樹脂に珪藻土粉末と炭酸水素ナトリウム粉末と酸化亜鉛粉末とを混練した合成樹脂混合物をビーズ状に成形した複数の合成樹脂第２ビーズ小片と、通気性、透湿性、透水性、柔軟性を有して塊状第２クッション小片と合成樹脂第２チューブ小片と合成樹脂第２ビーズ小片とのうちの少なくとも１種類を収納した収納袋とから形成されているから、第１及び第２クッションエリアが優れた吸湿性（吸湿作用）と優れた脱臭性（脱臭作用）と優れた殺菌性（殺菌作用）とを有し、第３及び第４クッションエリアが優れた吸湿性（吸湿作用）と優れた脱臭性（脱臭作用）とを有し、水分や湿気を吸収しつつ臭気を吸収することができるとともに、雑菌を死滅させることができ、雑菌が繁殖することはなく、長期間衛生的に使用することができる。枕は、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕を乾燥、無臭、無菌の状態で使用することができる。枕は、塊状第１及び第２クッション小片や合成樹脂第１及び第２チューブ小片、合成樹脂第１及び第２ビーズ小片を含むことで、第１〜第４クッションエリアにおいて所定のクッション性を有し、寝臥時における使用において使用者に良好な感触を与えることができる。
【００２０】
塊状第１クッション小片が、ポリウレタンに珪藻土粉末を混練して発泡させた低反発弾性第１ウレタンフォームと、ポリウレタンにミョウバン粉末を混練して発泡させた低反発弾性第１ウレタンフォームと、ポリウレタンに酸化亜鉛粉末を混練して発泡させた低反発弾性第１ウレタンフォームとから形成され、合成樹脂第１チューブ小片が、合成樹脂に珪藻土粉末を混練した合成樹脂第１混合物と、合成樹脂にミョウバン粉末を混練した合成樹脂第１混合物と、合成樹脂に酸化亜鉛粉末を混練した合成樹脂第１混合物とから形成され、合成樹脂第１ビーズ小片が、合成樹脂に珪藻土粉末を混練した合成樹脂第１混合物と、合成樹脂にミョウバン粉末を混練した合成樹脂第１混合物と、合成樹脂に酸化亜鉛粉末を混練した合成樹脂第１混合物とから形成され、塊状第２クッション小片が、ポリウレタンに珪藻土粉末を混練して発泡させた低反発弾性第２ウレタンフォームと、ポリウレタンに炭酸水素ナトリウム粉末（重曹粉末）を混練して発泡させた低反発弾性第２ウレタンフォームと、ポリウレタンに酸化亜鉛粉末を混練して発泡させた低反発弾性第２ウレタンフォームとから形成され、合成樹脂第２チューブ小片が、合成樹脂に珪藻土粉末を混練した合成樹脂第２混合物と、合成樹脂にミョウバン粉末を混練した合成樹脂第２混合物と、合成樹脂に酸化亜鉛粉末を混練した合成樹脂第２混合物とから形成され、合成樹脂第２ビーズ小片が、合成樹脂に珪藻土粉末を混練した合成樹脂第２混合物と、合成樹脂にミョウバン粉末を混練した合成樹脂第２混合物と、合成樹脂に酸化亜鉛粉末を混練した合成樹脂第２混合物とから形成されている枕は、塊状第１クッション小片や合成樹脂第１チューブ小片、合成樹脂第１ビーズ小片を備えた第１及び第２クッションエリアが優れた吸湿性（吸湿作用）と優れた脱臭性（脱臭作用）と優れた殺菌性（殺菌作用）とを有し、塊状第２クッション小片や合成樹脂第２チューブ小片、合成樹脂第２ビーズ小片を備えた第３及び第４クッションエリアが優れた吸湿性（吸湿作用）と優れた脱臭性（脱臭作用）とを有し、水分や湿気を吸収しつつ臭気を吸収することができるとともに、雑菌を死滅させることができ、雑菌が繁殖することはなく、長期間衛生的に使用することができる。枕は、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕を乾燥、無臭、無菌の状態で使用することができる。枕は、塊状第１及び第２クッション小片や合成樹脂第１及び第２チューブ小片、合成樹脂第１及び第２ビーズ小片を含むことで、第１〜第４クッションエリアにおいて所定のクッション性を有し、寝臥時における使用において使用者に良好な感触を与えることができる。
【００２１】
そば殻と綿と羽毛とのうちの少なくとも１種類が収納袋に収納されている枕は、そば殻と綿と羽毛とのうちの少なくとも１種類を収納袋に収納することで、枕のクッション性や感触が向上し、寝臥時における使用において使用者に良好な感触を与えることができる。
【００２２】
収容袋が通気性、透湿性、透水性、柔軟性を有する繊維不織布から作られた不織布袋と、通気性、透湿性、透水性、柔軟性を有する和紙から作られた和紙袋とのうちの少なくとも一方である枕は、不織布袋や和紙袋が柔軟性を有し、寝臥時における使用において使用者に良好な感触を与えることができる。枕は、収容袋が通気性、透湿性、透水性、柔軟性を有し、収容袋を透過した水分や湿気を珪藻土に確実に吸収させることができ、収容袋を透過した臭気を珪藻土やミョウバンや炭酸水素ナトリウム粉末（重曹粉末）に確実に吸着させることができる。
【図面の簡単な説明】
【００２３】
【図１】一例として示す枕の斜視図。
【図２】使用状態で示す枕の斜視図。
【図３】枕の側面図。
【図４】枕の背面図。
【図５】図１のＡ−Ａ線矢視断面図。
【図６】図１のＢ−Ｂ線矢視断面図。
【図７】他の一例として示す枕の図５と同様の矢視断面図。
【図８】他の一例として示す枕の図６と同様の矢視断面図。
【図９】他の一例として示す枕の図５と同様の矢視断面図。
【図１０】他の一例として示す枕の図６と同様の矢視断面図。
【図１１】他の一例として示す枕の図５と同様の矢視断面図。
【図１２】他の一例として示す枕の図６と同様の矢視断面図。
【図１３】他の一例として示す枕の図５と同様の矢視断面図。
【図１４】他の一例として示す枕の図６と同様の矢視断面図。
【図１５】他の一例として示す枕の図５と同様の矢視断面図。
【図１６】他の一例として示す枕の図６と同様の矢視断面図。
【発明を実施するための形態】
【００２４】
一例として示す枕１０Ａの斜視図である図１等の添付の図面を参照し、本発明に係る枕の詳細を説明すると、以下のとおりである。なお、図２は、使用状態で示す枕１０Ａの斜視図であり、図３は、枕１０Ａの側面図である。図４は、枕１０Ａの背面図であり、図５は、図１のＡ−Ａ線矢視断面図である。図６は、図１のＢ−Ｂ線矢視断面図である。図２では、寝臥した状態の使用者がその頭部１６及び頸部１５を枕１０Ａに載せている。
【００２５】
図３では、線ファスナー２２を開放した状態で示し、図４では、線ファスナー２６の一部を開放した状態で示す。図１では、前後方向を矢印Ｘ、幅方向を矢印Ｙで示し、厚み方向を矢印Ｚで示す。一例として示す枕１０Ａ（枕１０Ｂ〜１０Ｆを含む）は、その形状が略四角形に成形されている。なお、枕の形状は図示のそれに限定されない。枕１０Ａ（枕１０Ｂ〜１０Ｆを含む）は、そのまま使用される場合の他、全体が織物または編み物製の布袋（図示せず）に収容されて使用される場合がある。
【００２６】
枕１０Ａ（枕１０Ｂ〜１０Ｆを含む）は、第１〜第４クッションエリア１１〜１４を有する。第１クッションエリア１１は、幅方向へ長い略長方形に成形され、厚み方向へ膨隆している。第１クッションエリア１１は、使用者の頸部１５及び頭部１６の略下半分を支持する。第１クッションエリア１１は、珪藻土を粉状に粉砕した吸湿性及び脱臭性を有する珪藻土粉末（第１成分１７）と、脱臭性及び殺菌性を有するミョウバン粉末（第２成分１８）及び殺菌性を有する酸化亜鉛粉末（第２成分１８）と、低反発弾性ウレタンフォーム（第３成分１９）と、所定量の珪藻土粉末（第１成分１７）と所定量のミョウバン粉末及び酸化亜鉛粉末（第２成分１８）と所定量の低反発弾性ウレタンフォーム（第３成分１９）とを収容した収納袋２０とから形成されている。第１クッションエリア１１の一方の側部を形成する収納袋２０には、スライダー２１を備えた前後方向へ延びる線ファスナー２２（機械ファスナー）が取り付けられている。
【００２７】
第１クッションエリア１１では、珪藻土粉末（第１成分１７）が通気性、透湿性、透水性、柔軟性を有する複数の小袋２３に収納された状態で収納袋２０に収納され、ミョウバン粉末及び酸化亜鉛粉末（第２成分１８）が通気性、透湿性、透水性、柔軟性を有する複数の小袋２３に収納された状態で収納袋２０に収納されている。なお、珪藻土粉末やミョウバン粉末、酸化亜鉛粉末を小袋２３に収納することなく、所定量の珪藻土粉末（第１成分１７）と所定量のミョウバン粉末（第２成分１８）と所定量の酸化亜鉛粉末（第２成分１８）と所定量の低反発弾性ウレタンフォーム（第３成分１９）とを均一に満遍なく混合した混合物が収納袋２０に直接収納されていてもよい。
【００２８】
第１クッションエリア１１では、スライダー２１によって線ファスナー２２を前後方向前方へ移動させて収容袋２０を開放し、収容袋２０の内部に珪藻土粉末（第１成分１７）を収容した複数の小袋２３とミョウバン粉末及び酸化亜鉛粉末（第２成分１８）を収容した複数の小袋２３とを収容袋２０に押し入れる（込める）。それら小袋２３を収容袋２０に押し入れた後（込めた後）、スライダー２１によって線ファスナー２２を前後方向後方へ移動させて収容袋２０を閉鎖する。それら小袋２３を収容袋２０に押し入れる（込める）ことで、枕１０Ａの第１クッションエリア１１の厚み（嵩）が増加し、第１クッションエリア１１が厚み方向へ膨隆する。なお、線ファスナー２２の他に、フックとループとを備えたメカニカルファスナを収容袋２０に取り付け、メカニカルファスナを利用して収容袋２０を開閉することもできる。
【００２９】
第２クッションエリア１２は、前後方向へ長い略長方形に成形され、第１クッションエリア１１と同様に厚み方向へ膨隆している。第２クッションエリア１２は、使用者の頭部１６の略上半分を支持する。第２クッションエリア１２は、第１クッションエリア１１と一体になり、第１クッションエリア１１に繋がって第１クッションエリア１１の前方に位置する。第２クッションエリア１２は、珪藻土を粉状に粉砕した吸湿性及び脱臭性を有する珪藻土粉末（第１成分１７）と、脱臭性及び殺菌性を有するミョウバン粉末（第２成分１８）及び殺菌性を有する酸化亜鉛粉末（第２成分１８）と、低反発弾性ウレタンフォーム（第３成分１９）と、所定量の珪藻土粉末（第１成分１７）と所定量のミョウバン粉末及び酸化亜鉛粉末（第２成分１８）と所定量の低反発弾性ウレタンフォーム（第３成分１９）とを収容した収納袋２０とから形成されている。
【００３０】
第２クッションエリア１２では、珪藻土粉末（第１成分１７）が通気性、透湿性、透水性、柔軟性を有する複数の小袋２３に収納された状態で収納袋２０に収納され、ミョウバン粉末及び酸化亜鉛粉末（第２成分１８）が通気性、透湿性、透水性、柔軟性を有する複数の小袋２３に収納された状態で収納袋２０に収納されている。なお、珪藻土粉末やミョウバン粉末、酸化亜鉛粉末を小袋２３に収納することなく、所定量の珪藻土粉末（第１成分１７）と所定量のミョウバン粉末（第２成分１８）と所定量の酸化亜鉛粉末（第２成分１８）と所定量の低反発弾性ウレタンフォーム（第３成分１９）とを均一に満遍なく混合した混合物が収納袋２０に直接収納されていてもよい。
【００３１】
第３クッションエリア１３は、前後方向へ長い略長方形に成形され、第１クッションエリア１１と同様に厚み方向へ膨隆している。第３クッションエリア１３は、第１及び第２クッションエリア１１，１２と一体になり、第１及び第２クッションエリア１１，１２に繋がって第２クッションエリア１２の幅方向の一方に位置する。第３クッションエリア１３は、珪藻土を粉状に粉砕した吸湿性及び脱臭性を有する珪藻土粉末（第１成分１７）と、低反発弾性ウレタンフォーム（第３成分１９）と、脱臭性を有する炭酸水素ナトリウム粉末（重曹粉末）（第４成分）及び殺菌性を有する酸化亜鉛粉末（第４成分２４）と、所定量の珪藻土粉末（第１成分１７）と所定量の低反発弾性ウレタンフォーム（第３成分１９）と所定量の炭酸水素ナトリウム粉末及び酸化亜鉛粉末（第４成分２４）とを収容した収納袋２０とから形成されている。
【００３２】
第３クッションエリア１３では、珪藻土粉末（第１成分１７）が通気性、透湿性、透水性、柔軟性を有する複数の小袋２３に収納された状態で収納袋２０に収納され、炭酸水素ナトリウム粉末及び酸化亜鉛粉末（第４成分２４）が通気性、透湿性、透水性、柔軟性を有する複数の小袋２３に収納された状態で収納袋２０に収納されている。なお、珪藻土粉末や炭酸水素ナトリウム粉末、酸化亜鉛粉末を小袋２３に収納することなく、所定量の珪藻土粉末（第１成分１７）と所定量の炭酸水素ナトリウム粉末（第４成分２４）と所定量の酸化亜鉛粉末（第４成分２４）と所定量の低反発弾性ウレタンフォーム（第３成分１９）とを均一に満遍なく混合した混合物が収納袋２０に直接収納されていてもよい。
【００３３】
第４クッションエリア１４は、前後方向へ長い略長方形に成形され、第１クッションエリア１１と同様に厚み方向へ膨隆している。第４クッションエリア１４は、第１及び第２クッションエリア１１，１２と一体になり、第１及び第２クッションエリア１１，１２に繋がって第２クッションエリア１２の幅方向の他方に位置する。第４クッションエリア１４は、珪藻土を粉状に粉砕した吸湿性及び脱臭性を有する珪藻土粉末（第１成分１７）と、低反発弾性ウレタンフォーム（第３成分１９）と、脱臭性を有する炭酸水素ナトリウム粉末（重曹粉末）（第４成分２４）及び殺菌性を有する酸化亜鉛粉末（第４成分２４）と、所定量の珪藻土粉末（第１成分１７）と所定量の低反発弾性ウレタンフォーム（第３成分１９）と所定量の炭酸水素ナトリウム粉末及び酸化亜鉛粉末（第４成分２４）とを収容した収納袋２０とから形成されている。
【００３４】
第４クッションエリア１４では、珪藻土粉末（第１成分１７）が通気性、透湿性、透水性、柔軟性を有する複数の小袋２３に収納された状態で収納袋２０に収納され、炭酸水素ナトリウム粉末及び酸化亜鉛粉末（第４成分２４）が通気性、透湿性、透水性、柔軟性を有する複数の小袋２３に収納された状態で収納袋２０に収納されている。なお、珪藻土粉末や炭酸水素ナトリウム粉末、酸化亜鉛粉末を小袋２３に収納することなく、所定量の珪藻土粉末（第１成分１７）と所定量の炭酸水素ナトリウム粉末（第４成分２４）と所定量の酸化亜鉛粉末（第４成分２４）と所定量の低反発弾性ウレタンフォーム（第３成分１９）とを均一に満遍なく混合した混合物が収納袋２０に直接収納されていてもよい。
【００３５】
第２〜第４クッションエリア１２〜１４の後端部を形成する収納袋２０には、スライダー２５を備えた前後方向へ延びる線ファスナー２６（機械ファスナー）が取り付けられている。第２クッションエリア１２では、スライダー２５によって線ファスナー２６を幅方向へ移動させて収容袋２０を開放し、収容袋２０の内部に珪藻土粉末（第１成分１７）を収容した複数の小袋２３とミョウバン粉末及び酸化亜鉛粉末（第２成分１８）を収容した複数の小袋２３とを収容袋２０に押し入れる（込める）。それら小袋２３を収容袋２０に押し入れる（込める）ことで、第２クッションエリア１２の厚み（嵩）が増加し、第２クッションエリア１２が厚み方向へ膨隆する。
【００３６】
第３クッションエリア１３では、スライダー２５によって線ファスナー２６を幅方向へ移動させて収容袋２０を開放し、収容袋２０の内部に珪藻土粉末（第１成分１７）を収容した複数の小袋２３と炭酸水素ナトリウム粉末及び酸化亜鉛粉末（第２成分１８）を収容した複数の小袋２３とを収容袋２０に押し入れる（込める）。それら小袋２３を収容袋２０に押し入れる（込める）ことで、第３クッションエリア１３の厚み（嵩）が増加し、第３クッションエリア１３が厚み方向へ膨隆する。
【００３７】
第４クッションエリア１４では、スライダー２５によって線ファスナー２６を幅方向へ移動させて収容袋２０を開放し、収容袋２０の内部に珪藻土粉末（第１成分１７）を収容した複数の小袋２３と炭酸水素ナトリウム粉末及び酸化亜鉛粉末（第２成分１８）を収容した複数の小袋２３とを収容袋２０に押し入れる（込める）。それら小袋２３を収容袋２０に押し入れる（込める）ことで、第４クッションエリア１４の厚み（嵩）が増加し、第４クッションエリア１４が厚み方向へ膨隆する。それら小袋２３を収容袋２０に押し入れた後（込めた後）、スライダー２５によって線ファスナー２６を幅方向へ移動させて収容袋２０を閉鎖する。なお、線ファスナー２６の他に、フックとループとを備えたメカニカルファスナを収容袋２０に取り付け、メカニカルファスナを利用して収容袋２０を開閉することもできる。
【００３８】
第１〜第４クッションエリア１１〜１４を形成する収納袋２０と第１及び第２成分１７，１８や第４成分２４を収納した小袋２３には、通気性、透湿性、透水性、柔軟性を有する繊維不織布から作られた不織布袋、または、通気性、透湿性、透水性、柔軟性を有する和紙から作られた和紙袋が使用される。したがって、収納袋２０や小袋２３は、適度な通気性、適度な透湿性、適度な透水性、適度な柔軟性を有する。
【００３９】
なお、収納袋２０や小袋２３が通気性、透湿性、透水性、柔軟性を有する繊維不織布から作られた不織布袋と、通気性、透湿性、透水性、柔軟性を有して不織布袋の一方の表面全体と他方の表面全体とを包被する和紙から作られた和紙袋との複合袋であってもよく、収納袋２０や小袋２３が通気性、透湿性、透水性、柔軟性を有する和紙から作られた和紙袋と、通気性、透湿性、透水性、柔軟性を有して和紙袋の一方の表面全体と他方の表面全体とを包被する繊維不織布から作られた不織布袋との複合袋であってもよい。
【００４０】
不織布袋を作る通気性、透湿性、透水性を有する繊維不織布には、スパンレース法によって作られたスパンレース不織布やメルトブローン法によって作られたメルトブローン不織布、ＳＭＳ法によって作られたＳＭＳ不織布、フラッシュスパン法によって作られたフラッシュスパン不織布を使用することができる。また、スパンレース不織布やメルトブローン不織布、ＳＭＳ不織布、フラッシュスパン不織布のうちの少なくとも２種類の不織布を少なくとも２層以上に積層した複合不織布を使用することもできる。
【００４１】
繊維不織布には、既述のそれらの他に、サーマルボンド法によって作られたサーマルボンド不織布、ケミカルボンド法によって作られたケミカルボンド不織布、ニードルパンチ法によって作られたニードルパンチ不織布、ステッチボンド法によって作られたステッチボンド不織布を使用することもできる。それら繊維不織布には、ナイロンやポリエステル、ポリプロピレン、キュプラ等を材料とした長繊維から作られ、低発塵であることが好ましい。なお、それら繊維不織布がナイロンやポリエステル、ポリプロピレン、キュプラ等を材料とした短繊維から作られていてもよい。
【００４２】
不織布袋は、その平面形状が矩形に成形され、重なり合う繊維不織布どうしがその両端縁部や両側縁部（周縁部）、第１〜第４クッションエリア区画縁部に延びる溶着線によって接合されている。それら溶着線では、ヒートシールやソニックシール等の熱溶着手段によって繊維不織布どうしが溶着している。なお、繊維不織布どうしが縫製によって接合されていてもよい。和紙袋を作る和紙には、通気性、透湿性、透水性、柔軟性を有するものであればその種類に制限はない。和紙は、その平面形状が矩形に成形され、重なり合う和紙どうしがその両端縁部及び両側縁部（周縁部）、第１〜第４クッションエリア区画縁部に延びる接着線に塗布された接着剤（図示せず）によって接着されている。なお、和紙どうしが縫製によって接合されていてもよい。
【００４３】
枕１０Ａでは、第１成分１７として、珪藻土を粒状に粉砕した吸湿性及び脱臭性を有する珪藻土顆粒が使用され、又は、珪藻土顆粒と珪藻土粉末との混合物が使用されていてもよく、第２成分１８として、ミョウバン粉末のみ、又は、ミョウバン粉末に殺菌性を有する酸化銀粉末と殺菌性を有する酸化チタン粉末とのうちの少なくとも一方を混合した混合物が使用されていてもよい。また、第３成分１９として、そば殻と綿と羽毛とのうちの少なくとも１種類が使用されていてもよく、第４成分２４として、炭酸水素ナトリウム粉末のみ、又は、炭酸水素ナトリウム粉末に殺菌性を有する酸化銀粉末と殺菌性を有する酸化チタン粉末とのうちの少なくとも一方を混合した混合物が使用されていてもよい。
【００４４】
なお、ミョウバンは、優れた脱臭性を有し、優れた抗菌性や殺菌性、防菌性を有するとともに、タンパク質を引き締める収れん作用や汗を抑える制汗作用を有する。酸化亜鉛や酸化銀、酸化チタンは、優れた抗菌性や殺菌性、防菌性を有する。炭酸水素ナトリウム（重曹）は、優れた脱臭性を有し、アルカリ性であることから、表皮のたんぱく質を軟化させ、皮脂を分解し、石鹸のように汚れを落として皮膚を清潔に保つ。粉砕低反発弾性ウレタンフォームは、ポリオール成分およびポリイソシアネート成分を混合したポリウレタンを発泡させた複数の塊状クッション小片である。綿は、木綿やポリエステルから作られている。羽毛は、フェザーやダウンが使用されている。
【００４５】
図７は、他の一例として示す枕１０Ｂの図５と同様の矢視断面図であり、図８は、他の一例として示す枕１０Ｂの図６と同様の矢視断面図である。この枕１０Ｂが図１のそれと異なるところは、第２成分１８としてミョウバン粉末が使用され、第３成分１９としてポリエチレンチューブが使用されている点にあり、その他の構成は、図１の枕１０Ａのそれらと同一であるから、図１と同一の符号を付すとともに図１の枕１０Ａの説明を援用することで、この枕１０Ｂのその他の構成の詳細な説明は省略する。
【００４６】
第１及び第２クッションエリア１１，１２は、珪藻土を粉状に粉砕した吸湿性及び脱臭性を有する珪藻土粉末（第１成分１７）と、脱臭性及び殺菌性を有するミョウバン粉末（第２成分１８）と、低反発弾性のポリエチレンチューブ（第３成分１９）と、所定量の珪藻土粉末（第１成分１７）と所定量のミョウバン粉末（第２成分１８）と所定量のポリエチレンチューブ（第３成分１９）とを収容した収納袋２０とから形成されている。第１及び第２クッションエリア１１，１２では、珪藻土粉末（第１成分１７）が通気性、透湿性、透水性、柔軟性を有する複数の小袋２３に収納された状態で収納袋２０に収納され、ミョウバン粉末（第２成分１８）が通気性、透湿性、透水性、柔軟性を有する複数の小袋２３に収納された状態で収納袋２０に収納されている。
【００４７】
第３及び第４クッションエリア１３，１４は、珪藻土を粉状に粉砕した吸湿性及び脱臭性を有する珪藻土粉末（第１成分１７）と、低反発弾性のポリエチレンチューブ（第３成分１９）と、脱臭性を有する炭酸水素ナトリウム粉末（重曹粉末）（第４成分２４）及び殺菌性を有する酸化亜鉛粉末（第４成分２４）と、所定量の珪藻土粉末（第１成分１７）と所定量のポリエチレンチューブ（第３成分１９）と所定量の炭酸水素ナトリウム粉末及び酸化亜鉛粉末（第４成分２４）とを収容した収納袋２０とから形成されている。ポリエチレンチューブは、プラスチックから作られたチューブ状の複数のチューブ小片である。
【００４８】
第３及び第４クッションエリア１３，１４では、珪藻土粉末（第１成分１７）が通気性、透湿性、透水性、柔軟性を有する複数の小袋２３に収納された状態で収納袋２０に収納され、炭酸水素ナトリウム粉末（第４成分２４）及び酸化亜鉛粉末（第４成分２４）が通気性、透湿性、透水性、柔軟性を有する複数の小袋２３に収納された状態で収納袋２０に収納されている。収納袋２０や小袋２３は、図１の枕１０Ａのそれらと同一である。
【００４９】
枕１０Ｂでは、第１成分１７として、珪藻土を粒状に粉砕した吸湿性及び脱臭性を有する珪藻土顆粒が使用され、又は、珪藻土顆粒と珪藻土粉末との混合物が使用されていてもよく、第２成分１８として、ミョウバン粉末に殺菌性を有する酸化亜鉛粉末と殺菌性を有する酸化銀粉末と殺菌性を有する酸化チタン粉末とのうちの少なくとも一方を混合した混合物が使用されていてもよい。また、第３成分１９として、そば殻と綿と羽毛とのうちの少なくとも１種類が使用されていてもよく、第４成分２４として、炭酸水素ナトリウム粉末のみ、又は、炭酸水素ナトリウム粉末に殺菌性を有する酸化銀粉末と殺菌性を有する酸化チタン粉末とのうちの少なくとも一方を混合した混合物が使用されていてもよい。
【００５０】
図９は、他の一例として示す枕１０Ｃの図５と同様の矢視断面図であり、図１０は、他の一例として示す枕１０Ｃの図６と同様の矢視断面図である。この枕１０Ｃが図１のそれと異なるところは、第２成分１８としてミョウバン粉末が使用され、第３成分１９としてスチロールビーズが使用されているとともに、第４成分２４として炭酸水素ナトリウム粉末が使用されている点にあり、その他の構成は、図１の枕１０Ａのそれらと同一であるから、図１と同一の符号を付すとともに図１の枕１０Ａの説明を援用することで、この枕１０Ｃのその他の構成の詳細な説明は省略する。
【００５１】
第１及び第２クッションエリア１１，１２は、珪藻土を粉状に粉砕した吸湿性及び脱臭性を有する珪藻土粉末（第１成分１７）と、脱臭性及び殺菌性を有するミョウバン粉末（第２成分１８）と、スチロールビーズ（第３成分１９）と、所定量の珪藻土粉末（第１成分１７）と所定量のミョウバン粉末（第２成分１８）と所定量のスチロールビーズ（第３成分１９）とを収容した収納袋２０とから形成されている。第１及び第２クッションエリア１１，１２では、珪藻土粉末（第１成分１７）が通気性、透湿性、透水性、柔軟性を有する複数の小袋２３に収納された状態で収納袋２０に収納され、ミョウバン粉末（第２成分１８）が通気性、透湿性、透水性、柔軟性を有する複数の小袋２３に収納された状態で収納袋２０に収納されている。
【００５２】
第３及び第４クッションエリア１３，１４は、珪藻土を粉状に粉砕した吸湿性及び脱臭性を有する珪藻土粉末（第１成分１７）と、スチロールビーズ（第３成分１９）と、脱臭性を有する炭酸水素ナトリウム粉末（重曹粉末）（第４成分２４）と、所定量の珪藻土粉末（第１成分１７）と所定量のスチロールビーズ（第３成分１９）と所定量の炭酸水素ナトリウム粉末（第４成分２４）とを収容した収納袋２９とから形成されている。スチロールビーズは、プラスチックから作られたビーズ状の複数の合成樹脂ビーズ小片（小玉）である。第３及び第４クッションエリア１３，１４では、珪藻土粉末（第１成分１７）が通気性、透湿性、透水性、柔軟性を有する複数の小袋２３に収納された状態で収納袋２０に収納され、炭酸水素ナトリウム粉末（第４成分２４）が通気性、透湿性、透水性、柔軟性を有する複数の小袋２３に収納された状態で収納袋２０に収納されている。収納袋２０や小袋２３は、図１の枕１０Ａのそれらと同一である。
【００５３】
枕１０Ｃでは、第１成分１７として、珪藻土を粒状に粉砕した吸湿性及び脱臭性を有する珪藻土顆粒が使用され、又は、珪藻土顆粒と珪藻土粉末との混合物が使用されていてもよく、第２成分１８として、ミョウバン粉末に殺菌性を有する酸化亜鉛粉末と殺菌性を有する酸化銀粉末と殺菌性を有する酸化チタン粉末とのうちの少なくとも一方を混合した混合物が使用されていてもよい。また、第３成分１９として、そば殻と綿と羽毛とのうちの少なくとも１種類が使用されていてもよく、第４成分２４として、炭酸水素ナトリウム粉末に殺菌性を有する酸化亜鉛粉末と殺菌性を有する酸化銀粉末と殺菌性を有する酸化チタン粉末とのうちの少なくとも一方を混合した混合物が使用されていてもよい。
【００５４】
寝臥時に使用者は、枕１０Ａ〜１０Ｃの第２クッションエリア１２に頭部１６の略上半分を載せ、枕１０Ａ〜１０Ｃの第１クッションエリア１１に頸部１５及び頭部１６の略下半分を載せる。寝臥時に使用者の頭部１６や頸部１５から発散された汗（湿気）は、枕１０Ａ〜１０Ｃの第１〜第４クッションエリア１１〜１４の吸湿性を有する第１成分１７（珪藻土顆粒や珪藻土粉末）に吸収される。枕１０Ａ〜１０Ｃの第１〜第４クッションエリア１１〜１４は、第１成分１７によってその乾燥状態が保持される。
【００５５】
枕１０Ａ〜１０Ｃに付着した雑菌は、第１及び第２クッションエリア１１，１２の殺菌性を有する第２成分１８（ミョウバン粉末や酸化亜鉛粉末、酸化銀粉末、酸化チタン粉末）と第３及び第４クッションエリア１３，１４の殺菌性を有する第４成分２４（酸化亜鉛粉末や酸化チタン粉末、炭酸水素ナトリウム粉末）とによって殺菌されて死滅する。枕１０Ａ〜１０Ｃの第１〜第４クッションエリア１１〜１４は、第２及び第４成分１８，２４によってその無菌状態が保持される。
【００５６】
使用者から発散された臭気（体臭や頭髪臭、たばこ臭、ノネナール臭等）は、第１及び第２クッションエリア１１，１２の脱臭性を有する第１成分１７（珪藻土顆粒や珪藻土粉末）及び第２成分１８（ミョウバン粉末）によって脱臭されるとともに、第３及び第４クッションエリア１３，１４の脱臭性を有する第１成分１７（珪藻土顆粒や珪藻土粉末）及び第４成分２４（炭酸水素ナトリウム粉末）によって脱臭される。枕１０Ａ〜１０Ｃの第１〜第４クッションエリア１１〜１４は、第１及び第２成分１７，１８と第４成分２４とによってその無臭状態が保持される。
【００５７】
枕１０Ａ〜１０Ｃでは、使用者の頭部１６や頸部１４から発散された汗（湿気）を吸収したときに、ミョウバン粉末が溶けてミョウバン水溶液に変化して収容袋２９（布袋）の外面に滲出し、微量のミョウバン水溶液が頭部１６や顔面、頸部１５の皮膚に付着する。又は、頭部１６や顔面、頸部１５の皮膚が枕１０Ａ〜１０Ｃに接触したときに、微量のミョウバン粉末が収容袋２０（布袋）の外面に漏出し、そのミョウバン粉末が頭部１６や顔面、頸部１５の皮膚に付着する。枕１０Ａ〜１０Ｃでは、ミョウバン水溶液やミョウバン粉末が頭部１６や顔面、頸部１５の皮膚に付着することで、ミョウバンのタンパク質を引き締める収れん作用や汗を抑える制汗作用を利用することができる。
【００５８】
枕１０Ａ〜１０Ｃでは、使用者の頭部１６や頸部１５から発散された汗（湿気）を吸収したときに、炭酸水素ナトリウム粉末（重曹粉末）が溶けて炭酸水素ナトリウム水溶液に変化して収容袋２０（布袋）の外面に滲出し、微量の炭酸水素ナトリウム水溶液が頭部１６や顔面、頸部１５の皮膚に付着する。又は、頭部１６や顔面、頸部１５の皮膚が枕１０Ａ〜１０Ｃに接触したときに、微量の炭酸水素ナトリウム粉末が収容袋２０（布袋）の外面に漏出し、その炭酸水素ナトリウム粉末が頭部１６や顔面、頸部１５の皮膚に付着する。枕１０Ａ〜１０Ｃでは、炭酸水素ナトリウム水溶液や炭酸水素ナトリウム粉末が頭部１６や顔面、頸部１５の皮膚に付着することで、皮膚が清潔に保たれる。
【００５９】
枕１０Ａ〜１０Ｃでは、第１及び第２クッションエリア１１，１２の収納袋２０に収納された第１成分１７と第２成分１８と第３成分１９との全収納量に対する第１成分１７の収納割合が５０％〜６５％の範囲にあり、第１及び第２クッションエリア１１，１２の収納袋２０に収納された第１成分１７と第２成分１８と第３成分１９との全収納量に対する第２成分１８の収納割合が１０％〜２０％の範囲にある。第１及び第２クッションエリア１１，１２の収納袋２０に収納された第１成分１７と第２成分１８と第３成分１９との全収納量に対する第３成分１９の収納割合が１５％〜３０％の範囲にある。
【００６０】
第１及び第２クッションエリア１１，１２における第１成分１７の収納割合が５０％未満では、枕１０Ａ〜１０Ｃの吸湿性（吸放湿性）及び脱臭性が低下し、枕１０Ａ〜１０Ｃの吸湿作用（吸湿機能）や脱臭作用（脱臭機能）を十分に利用することができない。第１及び第２クッションエリア１１，１２における第２成分１８の収納割合が１０％未満では、枕１０Ａ〜１０Ｃの脱臭性や抗菌性、殺菌性、防菌性、収れん作用、制汗作用が低下し、枕１０Ａ〜１０Ｃの脱臭性や抗菌性、殺菌性、防菌性、収れん作用、制汗作用を十分に利用することができない。第１及び第２クッションエリア１１，１２における第３成分１９の収納割合が１５％未満では、枕１０Ａ〜１０Ｃのクッション性が低下し、寝臥時において使用者に不快感を与える。
【００６１】
枕１０Ａ〜１０Ｃでは、第３及び第４クッションエリア１３，１４の収納袋２０に収納された第１成分１７と第３成分１９と第４成分２４との全収納量に対する第１成分１７の収納割合が５０％〜６５％の範囲にあり、第３及び第４クッションエリア１３，１４の収納袋２０に収納された第１成分１７と第３成分１９と第４成分２４との全収納量に対する第３成分１９の収納割合が１５％〜３０％の範囲にある。第３及び第４クッションエリア１３，１４の収納袋２０に収納された第１成分１７と第３成分１９と第４成分２４との全収納量に対する第４成分２４の収納割合が１０％〜２０％の範囲にある。
【００６２】
第３及び第４クッションエリア１３，１４における第１成分１７の収納割合が５０％未満では、枕１０Ａ〜１０Ｃの吸湿性（吸放湿性）及び脱臭性が低下し、枕１０Ａ〜１０Ｃの吸湿作用（吸湿機能）や脱臭作用（脱臭機能）を十分に利用することができない。第３及び第４クッションエリア１３，１４における第３成分１９の収納割合が１５％未満では、枕１０Ａ〜１０Ｃのクッション性が低下し、寝臥時において使用者に不快感を与える。第３及び第４クッションエリア１３，１４における第４成分２４の収納割合が１０％未満では、枕１０Ａ〜１０Ｃの脱臭性が低下し、枕１０Ａ〜１０Ｃの脱臭性を十分に利用することができない。
【００６３】
枕１０Ａ〜１０Ｃは、第１及び第２クッションエリア１１，１２が珪藻土を粒状に粉砕した吸湿性及び脱臭性を有する珪藻土顆粒と珪藻土を粉状に粉砕した吸湿性及び脱臭性を有する珪藻土粉末とのうちの少なくとも一方からなる第１成分１７と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分１８と、低反発弾性ウレタンフォームとそば殻とスチロールビーズとポリエチレンチューブと綿と羽毛とのうちの少なくとも１種類からなる第３成分１９と、通気性、透湿性、透水性、柔軟性を有して所定量の第１成分１７と所定量の第２成分１８と所定量の第３成分１９と収納した収納袋２０とから形成され、第３及び第４クッションエリア１３，１４が第１成分１７及び第３成分１９と、脱臭性を有する炭酸水素ナトリウム粉末と殺菌性を有する酸化亜鉛粉末と殺菌性を有する酸化銀粉末と殺菌性を有する酸化チタン粉末とのうちの少なくとも炭酸水素ナトリウム粉末からなる第４成分２４と、通気性、透湿性、透水性、柔軟性を有して所定量の第１成分１７と所定量の第３成分１９と所定量の第４成分２４とを収納した収納袋２０とから形成されているから、第１及び第２クッションエリア１１，１２が優れた吸湿性（吸湿作用）と優れた脱臭性（脱臭作用）と優れた殺菌性（殺菌作用）とを有し、第３及び第４クッションエリア１３，１４が優れた吸湿性（吸湿作用）と優れた脱臭性（脱臭作用）と優れた殺菌性（殺菌作用）とを有し、水分や湿気を吸収しつつ臭気を吸収することができるとともに、雑菌を死滅させることができ、雑菌が繁殖することはなく、長期間衛生的に使用することができる。
【００６４】
枕１０Ａ〜１０Ｃは、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕１０Ａ〜１０Ｃを乾燥、無臭、無菌の状態で使用することができる。枕１０Ａ〜１０Ｃは、所定量の第３成分１９を含むことで、優れたクッション性を有し、寝臥時における使用において使用者に良好な感触を与えることができる。
【００６５】
図１１は、他の一例として示す枕１０Ｄの図５と同様の矢視断面図であり、図１２は、他の一例として示す枕１０Ｄの図６と同様の矢視断面図である。枕１０Ｄは、図１のそれと同様に、第１〜第４クッションエリア１１〜１４を有する。第１クッションエリア１１は、幅方向へ長い略長方形に成形され、厚み方向へ膨隆している。第１クッションエリア１１は、使用者の頸部１５及び頭部１６の略下半分を支持する（図１，２参照）。第２クッションエリア１２は、前後方向へ長い略長方形に成形され、第１クッションエリア１１と同様に厚み方向へ膨隆している。第２クッションエリア１２は、使用者の頭部１６の略上半分を支持する（図１，２参照）。第１クッションエリア１１の一方の側部を形成する収納袋２０には、スライダー２１を備えた前後方向へ延びる線ファスナー２２（機械ファスナー）が取り付けられている。
【００６６】
第１及び第２クッションエリア１１，１２は、ポリオール成分およびポリイソシアネート成分を混合したポリウレタンに吸湿性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状第１クッション小片２７と、通気性、透湿性、透水性、柔軟性を有してそれら塊状第１クッション小片２７を収納した収納袋２０とから形成されている。収納袋２０は、図１の枕１０Ａのそれと同一である。
【００６７】
第３及び第４クッションエリア１３，１４は、前後方向へ長い略長方形に成形され、第１クッションエリア１１と同様に厚み方向へ膨隆している。第３及び第４クッションエリア１３，１４は、第１及び第２クッションエリア１１，１２と一体になり、第１及び第２クッションエリア１１，１２に繋がって第２クッションエリア１２の幅方向の一方と他方とに位置する。第２〜第４クッションエリア１２〜１４の後端部を形成する収納袋２０には、スライダー２５を備えた前後方向へ延びる線ファスナー２６（機械ファスナー）が取り付けられている。
【００６８】
第３及び第４クッションエリア１３，１４は、ポリオール成分およびポリイソシアネート成分を混合したポリウレタンに吸湿性及び脱臭性を有する珪藻土を粉状に粉砕した珪藻土粉末と脱臭性を有する炭酸水素ナトリウム粉末（重曹粉末）と殺菌性を有する酸化亜鉛粉末とを混練して発泡させた低反発弾性ウレタンフォームからなる複数の塊状第２クッション小片２８と、通気性、透湿性、透水性、柔軟性を有してそれら塊状第２クッション小片２８を収納した収納袋２０とから形成されている。
【００６９】
図示の塊状第１クッション小片２７や塊状第２クッション小片２８は、射出発泡成形、押出発泡成形、発泡ブロー成形によって作ることができる。第１及び第２クッションエリア１１，１２では、複数の塊状第１クッション小片２７を収容袋２０に押し入れる（込める）ことで、第１及び第２クッションエリア１１，１２の厚み（嵩）が増加し、第１及び第２クッションエリア１１，１２が厚み方向へ膨隆する。第３及び第４クッションエリア１３，１４では、複数の塊状第２クッション小片２８を収容袋２０に押し入れる（込める）ことで、第３及び第４クッションエリア１３，１４の厚み（嵩）が増加し、第３及び第４クッションエリア１３，１４が厚み方向へ膨隆する。
【００７０】
なお、枕１０Ｄの塊状第１クッション小片２７は、ポリウレタンに珪藻土粉末を混練して発泡させた低反発弾性第１ウレタンフォームと、ポリウレタンにミョウバン粉末を混練して発泡させた低反発弾性第１ウレタンフォームと、ポリウレタンに酸化亜鉛粉末を混練して発泡させた低反発弾性第１ウレタンフォームとから形成されていてもよい。また、枕１０Ｄの塊状第２クッション小片２８は、ポリウレタンに珪藻土粉末を混練して発泡させた低反発弾性第２ウレタンフォームと、ポリウレタンに炭酸水素ナトリウム粉末（重曹粉末）を混練して発泡させた低反発弾性第２ウレタンフォームと、ポリウレタンに酸化亜鉛粉末を混練して発泡させた低反発弾性第２ウレタンフォームとから形成されていてもよい。枕１０Ｄでは、図示はしていないが、塊状第１クッション小片２７及び塊状第２クッション小片２８とともに、そば殻と綿と羽毛とのうちの少なくとも１種類が収納袋２０に収納されていてもよい。
【００７１】
枕１０Ｄは、第１及び第２クッションエリア１１，１２が複数の塊状第１クッション小片２７と塊状第１クッション小片２７を収納した収納袋２０とから形成され、第３及び第４クッションエリア１３，１４が複数の塊状第２クッション小片２８と塊状第２クッション小片２８を収納した収納袋２０とから形成されているから、第１及び第２クッションエリア１１，１２が優れた吸湿性（吸湿作用）と優れた脱臭性（脱臭作用）と優れた殺菌性（殺菌作用）とを有し、第３及び第４クッションエリア１３，１４が優れた吸湿性（吸湿作用）と優れた脱臭性（脱臭作用）と優れた殺菌性（殺菌作用）とを有し、使用者の水分や湿気を吸収しつつ臭気を吸収することができるとともに、雑菌を死滅させることができ、雑菌が繁殖することはなく、長期間衛生的に使用することができる。
【００７２】
枕１０Ｄは、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕１０Ｄを乾燥、無臭、無菌の状態で使用することができる。枕１０Ｄは、塊状第１及び第２クッション小片２７，２８を含むことで、第１〜第４クッションエリア１１〜１４において所定のクッション性を有し、寝臥時における使用において使用者に良好な感触を与えることができる。
【００７３】
図１３は、他の一例として示す枕１０Ｅの図５と同様の矢視断面図であり、図１４は、他の一例として示す枕１０Ｅの図６と同様の矢視断面図である。この枕１０Ｅが図１や図１１のそれと異なるところは、第１及び第２クッションエリア１１，１２が、合成樹脂に珪藻土粉末とミョウバン粉末と酸化亜鉛粉末とを混練した合成樹脂混合物をチューブ状に成形した複数の合成樹脂第１チューブ小片２９と、通気性、透湿性、透水性、柔軟性を有してそれら合成樹脂第１チューブ小片２９を収納した収納袋２０とから形成されている点、更に、第３及び第４クッションエリア１３，１４が、合成樹脂に珪藻土粉末と炭酸水素ナトリウム粉末と酸化亜鉛粉末とを混練した合成樹脂混合物をチューブ状に成形した複数の合成樹脂第２チューブ小片３０と、通気性、透湿性、透水性、柔軟性を有してそれら合成樹脂第２チューブ小片３０を収納した収納袋２０とから形成されている点にある。
【００７４】
この枕１０Ｅのその他の構成は、図１や図１１の枕１０Ａ，１０Ｄのそれらと同一であるから、図１や図１１と同一の符号を付すとともに、図１や図１１の説明を援用することで、この枕１０Ｅのその他の構成の説明は省略する。図示の合成樹脂第１チューブ小片２９や合成樹脂第２チューブ小片３０は、射出成形、押出成形、ブロー成形によって作ることができる。
【００７５】
なお、枕１０Ｅの合成樹脂第１チューブ小片２９は、合成樹脂に珪藻土粉末を混練した合成樹脂第１混合物と、合成樹脂にミョウバン粉末を混練した合成樹脂第１混合物と、合成樹脂に酸化亜鉛粉末を混練した合成樹脂第１混合物とから形成されていてもよい。また、枕１０Ｅの合成樹脂第２チューブ小片３０は、合成樹脂に珪藻土粉末を混練した合成樹脂第２混合物と、合成樹脂にミョウバン粉末を混練した合成樹脂第２混合物と、合成樹脂に酸化亜鉛粉末を混練した合成樹脂第２混合物とから形成されていてもよい。枕１０Ｅでは、図示はしていないが、合成樹脂第１チューブ小片２９及び合成樹脂第２チューブ小片３０とともに、そば殻と綿と羽毛とのうちの少なくとも１種類が収納袋２０に収納されていてもよい。
【００７６】
枕１０Ｅは、第１及び第２クッションエリア１１，１２が複数の合成樹脂第１チューブ小片２９とそれら合成樹脂第１チューブ小片２９を収納した収納袋２０とから形成され、第３及び第４クッションエリア１３，１４が複数の合成樹脂第２チューブ小片３０とそれら合成樹脂第２チューブ小片３０を収納した収納袋２０とから形成されているから、第１及び第２クッションエリア１１，１２が優れた吸湿性（吸湿作用）と優れた脱臭性（脱臭作用）と優れた殺菌性（殺菌作用）とを有し、第３及び第４クッションエリア１３，１４が優れた吸湿性（吸湿作用）と優れた脱臭性（脱臭作用）と優れた殺菌性（殺菌作用）とを有し、使用者の水分や湿気を吸収しつつ臭気を吸収することができるとともに、雑菌を死滅させることができ、雑菌が繁殖することはなく、長期間衛生的に使用することができる。
【００７７】
枕１０Ｅは、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕１０Ｅを乾燥、無臭、無菌の状態で使用することができる。枕１０Ｅは、塊状第１及び第２チューブ小片２９，３０を含むことで、第１〜第４クッションエリア１１〜１４において所定のクッション性を有し、寝臥時における使用において使用者に良好な感触を与えることができる。
【００７８】
図１５は、他の一例として示す枕１０Ｆの図５と同様の矢視断面図であり、図１６は、他の一例として示す枕１０Ｆの図６と同様の矢視断面図である。この枕１０Ｆが図１や図１１のそれと異なるところは、第１及び第２クッションエリア１１，１２が、合成樹脂に珪藻土粉末とミョウバン粉末と酸化亜鉛粉末とを混練した合成樹脂混合物をビーズ状に成形した複数の合成樹脂第１ビーズ小片３１と、通気性、透湿性、透水性、柔軟性を有してそれら合成樹脂第１ビーズ小片３１を収納した収納袋２０とから形成されている点、更に、第３及び第４クッションエリア１３，１４が、合成樹脂に珪藻土粉末と炭酸水素ナトリウム粉末と酸化亜鉛粉末とを混練した合成樹脂混合物をビーズ状に成形した複数の合成樹脂第２ビーズ小片３２と、通気性、透湿性、透水性、柔軟性を有してそれら合成樹脂第２ビーズ小片３２を収納した収納袋２０とから形成されている点にある。
【００７９】
この枕１０Ｆのその他の構成は、図１や図１１の枕１０Ａ，１０Ｄのそれらと同一であるから、図１や図１１と同一の符号を付すとともに、図１や図１１の説明を援用することで、この枕１０Ｆのその他の構成の説明は省略する。図示の合成樹脂第１ビーズ小片３１や合成樹脂第２ビーズ小片３２は、金型成形、押出成形、ブロー成形によって作ることができる。
【００８０】
なお、枕１０Ｆの合成樹脂第１ビーズ小片３１は、合成樹脂に珪藻土粉末を混練した合成樹脂第１混合物と、合成樹脂にミョウバン粉末を混練した合成樹脂第１混合物と、合成樹脂に酸化亜鉛粉末を混練した合成樹脂第１混合物とから形成されていてもよい。また、枕１０Ｆの合成樹脂第２ビーズ小片３２は、合成樹脂に珪藻土粉末を混練した合成樹脂第２混合物と、合成樹脂にミョウバン粉末を混練した合成樹脂第２混合物と、合成樹脂に酸化亜鉛粉末を混練した合成樹脂第２混合物とから形成されていてもよい。枕１０Ｆでは、図示はしていないが、合成樹脂第１ビーズ小片３１及び合成樹脂第２ビーズ小片３２とともに、そば殻と綿と羽毛とのうちの少なくとも１種類が収納袋２０に収納されていてもよい。
【００８１】
枕１０Ｅは、第１及び第２クッションエリア１１，１２が複数の合成樹脂第１ビーズ小片３１とそれら合成樹脂第１ビーズ小片３１を収納した収納袋２０とから形成され、第３及び第４クッションエリア１３，１４が複数の合成樹脂第２ビーズ小片３２とそれら合成樹脂第２ビーズ小片３２を収納した収納袋２０とから形成されているから、第１及び第２クッションエリア１１，１２が優れた吸湿性（吸湿作用）と優れた脱臭性（脱臭作用）と優れた殺菌性（殺菌作用）とを有し、第３及び第４クッションエリア１３，１４が優れた吸湿性（吸湿作用）と優れた脱臭性（脱臭作用）と優れた殺菌性（殺菌作用）とを有し、使用者の水分や湿気を吸収しつつ臭気を吸収することができるとともに、雑菌を死滅させることができ、雑菌が繁殖することはなく、長期間衛生的に使用することができる。
【００８２】
枕１０Ｆは、使用者の湿気や汗を吸収することができるとともに使用者の臭気（体臭や頭髪臭、たばこ臭、ノネナール臭等）を吸収することができ、湿りやそれら臭気の染み付きを防ぐことができ、枕１０Ｆを乾燥、無臭、無菌の状態で使用することができる。枕１０Ｆは、合成樹脂第１及び第２ビーズ小片３１，３２を含むことで、第１〜第４クッションエリア１１〜１４において所定のクッション性を有し、寝臥時における使用において使用者に良好な感触を与えることができる。
【符号の説明】
【００８３】
１０Ａ〜１０Ｆ  枕
１１    第１クッションエリア
１２    第２クッションエリア
１３    第３クッションエリア
１４    第４クッションエリア
１５    頸部
１６    頭部
１７    第１成分
１８    第２成分
１９    第３成分
２０    収納袋
２１    スライダー
２２    線ファスナー
２３    小袋
２４    第４成分
２５    スライダー
２６    線ファスナー
２７    塊状第１クッション小片
２８    塊状第２クッション小片
２９    合成樹脂第１チューブ小片
３０    合成樹脂第２チューブ小片
３１    合成樹脂第１ビーズ小片
３２    合成樹脂第２ビーズ小片
【図１】
2020028323.tif 000003
【図２】
2020028323.tif 000004
【図３】
2020028323.tif 000005
【図４】
2020028323.tif 000006
【図５】
2020028323.tif 000007
【図６】
2020028323.tif 000008
【図７】
2020028323.tif 000009
【図８】
2020028323.tif 000010
【図９】
2020028323.tif 000011
【図１０】
2020028323.tif 000012
【図１１】
2020028323.tif 000013
【図１２】
2020028323.tif 000014
【図１３】
2020028323.tif 000015
【図１４】
2020028323.tif 000016
【図１５】
2020028323.tif 000017
【図１６】
2020028323.tif 000018